(57)【要約】【課題】調理時にレンジから発生する汚染空気を局所換気にて効率良く捕集するレンジフードを提供することを目的とする。【解決手段】下面に主吸込口１と天面に排気口２を有したフード３と、フード３の内部に設けられ、下面に第１の吸込口４を有した送風機５と、正面側の奥側に副吸込口８を有した汚染空気溜り部９を備え、送風機５の吐出口６はフード３の排気口２に連通し、第１の吸込口４は主吸込口１と副吸込口８とを連通し排気通風路７を形成し、レンジから上昇する汚染空気の主吸込口１で捕集しきれずフード３前方より漏れそうになる汚染空気やフード３から逸れようとする汚染空気を汚染空気溜り部９と副吸込口８にて捕集することにより、フード３からの汚染空気の漏れを防止でき、効率よく捕集できるレンジフードを提供する。【選択図】図１
2008122007.tif 000002
【特許請求の範囲】
【請求項１】
下面に主吸込口と天面または側面に排気口を有したフードと、前記フードの内部に設けられ、下面に第１の吸込口を有した送風機と、正面側に副吸込口を有した汚染空気溜り部を備え、前記送風機の吐出口は前記フードの前記排気口に連通し、前記第１の吸込口は前記主吸込口と前記副吸込口とを連通し排気通風路を形成したことを特徴とするレンジフード。
【請求項２】
副吸込口を、正面の奥側に形成したことを特徴とする請求項１記載のレンジフード。
【請求項３】
副吸込口を、正面の手前側に形成したことを特徴とする請求項１または２記載のレンジフード。
【請求項４】
副吸込口を、正面の天面側に形成したことを特徴とする請求項１〜３のいずれかに記載のレンジフード。
【請求項５】
汚染空気溜り部の正面の手前側の壁面を、主吸込口側へ傾斜して形成したことを特徴とする請求項１〜４のいずれかに記載のレンジフード。
【請求項６】
汚染空気溜り部の正面の手前側の壁面を、主吸込側と反対側へ傾斜して形成したことを特徴とする請求項１〜４のいずれかに記載のレンジフード。
【請求項７】
送風機の配設空間より後方に延設して後方フード部を形成し、この後方フード部の下面に汚染空気溜り部および副吸込口を形成したことを特徴とする請求項１〜６のいずれかに記載のレンジフード。
【請求項８】
送風機を、第２の吸込口を有した両吸込形送風機としたことを特徴とする請求項１〜７のいずれかに記載のレンジフード。
【請求項９】
主吸込口の下方に、整流板を設けたことを特徴とする請求項１〜８のいずれかに記載のレンジフード。
【請求項１０】
整流板に、開口を設けたことを特徴とする請求項９記載のレンジフード。
【発明の詳細な説明】
【技術分野】
【０００１】
本発明は、調理時にレンジから上昇する油煙や臭い、排気ガスなどの汚染空気を効率的に捕集し排気するレンジフードに関する。
【背景技術】
【０００２】
従来、この種のレンジフードとしては、調理時に捕集しきれずに漏れて天井部に滞留する汚染空気を全体換気用吸い込み口にて排気するものが知られている（例えば、特許文献１参照）。
【０００３】
以下、そのレンジフードについて図９を参照しながら説明する。
【０００４】
図に示すように、主吸い込み口１０１と副吸い込み口１０２とを有する両面吸い込みの遠心ファン１０３と、遠心ファン１０３を収容する箱型のケーシング１０４を備えている。ケーシング１０４の底壁１０５に局所換気用吸い込み口１０６が形成され、局所換気用吸い込み口１０６に近接して、ケーシング１０４の側壁１０７に全体換気用吸い込み口１０８を形成し構成している。
【特許文献１】特開平８−２４０３３３号公報（第４−５頁、第１図）
【発明の開示】
【発明が解決しようとする課題】
【０００５】
このような従来のレンジフードでは、局所換気用吸い込み口で捕集しきれずに漏れて天井部に滞留した汚染空気を全体換気用吸い込み口にて排気するが、捕集しきれずに室内に臭いが拡散したり、霧状の油煙等が飛散して部屋の壁や家具などに付着し、室内環境が汚染されるという課題があり、局所換気用吸い込み口にて汚染空気を効率良く排気することが要求されている。
【０００６】
本発明は、このような従来の課題を解決するものであり、レンジからの汚染空気を局所換気にて効率良く捕集するレンジフードを提供することを目的としている。
【課題を解決するための手段】
【０００７】
本発明のレンジフードは上記目的を達成するために、下面に主吸込口と天面または側面に排気口を有したフードと、前記フードの内部に設けられ、下面に第１の吸込口を有した送風機と、正面側に副吸込口を有した汚染空気溜り部を備え、前記送風機の吐出口は前記フードの前記排気口に連通し、前記第１の吸込口は前記主吸込口と前記副吸込口とを連通し排気通風路を形成したものである。
【０００８】
この手段により、レンジより上昇する汚染空気が多量に発生する位置あるいはフードからの汚染空気が漏れ易い位置に汚染空気溜り部、および副吸込口を設けることで、調理時に発生する汚染空気の大部分を主吸込口で捕集し、主吸込口で捕集しきれずフード端部より漏れそうになる汚染空気をフード下面の端部近傍に設けた汚染空気溜り部に一旦追い込み、副吸込口および主吸込口で捕集することにより汚染空気の漏れを防止でき、捕集効率の良いレンジフードが得られる。
【０００９】
また、他の手段は、副吸込口を、正面の奥側に形成したものである。
【００１０】
この手段により、主吸込口で捕集しきれずフード前方より漏れそうになる汚染空気を汚染空気溜り部のフード下面の主吸込口側に設けた副吸込部で捕集することにより汚染空気の漏れを防止でき、捕集効率の良いレンジフードが得られる。
【００１１】
また、他の手段は、副吸込口を、正面の手前側に形成したものである。
【００１２】
この手段により、主吸込口で捕集しきれずフード前方より漏れそうになる汚染空気を汚染空気溜り部のフード下面の主吸込口側と反対側に設けた副吸込部で捕集することにより汚染空気の漏れを防止でき、捕集効率の良いレンジフードが得られる。
【００１３】
また、他の手段は、副吸込口を、正面の天面側に形成したものである。
【００１４】
この手段により、主吸込口で捕集しきれずフード前方より漏れそうになる汚染空気を汚染空気溜り部の天面に設けた副吸込部で捕集することにより汚染空気の漏れを防止でき、捕集効率の良いレンジフードが得られる。
【００１５】
また、他の手段は、汚染空気溜り部の正面の手前側の壁面を、主吸込口側へ傾斜して形成したものである。
【００１６】
この手段により、フード端部近傍に汚染空気が大量に上昇してきた場合でも、汚染空気を主吸込口および副吸込口へ追い込むことにより、汚染空気の漏れを防止でき、捕集効率のよいレンジフードが得られる。
【００１７】
また、他の手段は、汚染空気溜り部の正面の手前側の壁面を、主吸込側と反対側へ傾斜して形成したものである。
【００１８】
この手段により、フード端部近傍に汚染空気が大量に上昇してきた場合でも、汚染空気を主吸込口および副吸込口へ追い込むことにより、汚染空気の漏れを防止でき、捕集効率のよいレンジフードが得られる。
【００１９】
また、他の手段は、送風機の配設空間より後方に延設して後方フード部を形成し、この後方フード部の下面に汚染空気溜り部および副吸込口を形成したものである。
【００２０】
この手段により、オープンタイプのキッチンでフードが側壁に固定される場合などでも、汚染空気を局所的に効率良く捕集するレンジフードが得られる。
【００２１】
また、他の手段は、送風機を、第２の吸込口を有した両吸込形送風機としたものである。
【００２２】
この手段により、浅形レンジフードなどのフード高さが低いレンジフードの場合でも、調理時に発生する汚染空気の大部分を主吸込口で捕集し、主吸込口で捕集しきれずフードより漏れそうになる汚染空気を汚染空気溜り部に追い込み、副吸込口および主吸込口で捕集することにより汚染空気の漏れを防止でき、捕集効率のよいレンジフードが得られる。
【００２３】
また、他の手段は、主吸込口の下方に、整流板を設けたものである。
【００２４】
この手段により、オープンタイプのキッチンでフードが側壁に固定される場合などでも、汚染空気を局所的に効率良く捕集するレンジフードが得られる。
【００２５】
また、他の手段は、整流板に、開口を設けたものである。
【００２６】
この手段により、オープンタイプのキッチンでフードが側壁に固定される場合などでも、汚染空気を局所的に効率良く捕集するレンジフードが得られる。
【発明の効果】
【００２７】
本発明によれば、レンジより上昇する汚染空気が多量に発生する位置あるいはフードからの汚染空気が漏れ易い位置に汚染空気溜り部、および副吸込口を設けることで、調理時に発生する汚染空気の大部分を主吸込口で捕集し、主吸込口で捕集しきれずフード正面側端部より漏れそうになる汚染空気は、汚染空気溜り部に一旦溜めこまれ、副吸込口および主吸込口で吸い込んで捕集することにより、汚染空気の漏れを防止でき、捕集効率の良いレンジフードを提供できる。
【００２８】
また、主吸込口で捕集しきれずフード正面側より漏れそうになる汚染空気は、汚染空気溜り部の正面の奥側に形成した副吸込口で吸い込まれ捕集されることにより、汚染空気の漏れを防止でき、捕集効率の良いレンジフードを提供できる。
【００２９】
また、主吸込口で捕集しきれずフード正面側より漏れそうになる汚染空気は、汚染空気溜り部の正面の手前側に形成した副吸込口で吸い込まれ捕集されることにより、汚染空気の漏れを防止でき、捕集効率の良いレンジフードを提供できる。
【００３０】
また、主吸込口で捕集しきれずフード正面側より漏れそうになる汚染空気は、汚染空気溜り部の正面の天面側に形成した副吸込口で吸い込まれ捕集されることにより、汚染空気の漏れを防止でき、捕集効率の良いレンジフードを提供できる。
【００３１】
また、フード正面側端部近傍に汚染空気が大量に上昇してきた場合は、汚染空気溜り部の正面の手前側の壁面を、主吸込口側へ傾斜して形成したので、汚染空気溜り部に溜った汚染空気をフード外へ逃げないように防止することが可能であり、結果、汚染空気は、主吸込口および副吸込口へ追い込まれることになり、汚染空気の漏れを防止でき、捕集効率のよいレンジフードを提供できる。
【００３２】
また、フード正面側端部近傍に汚染空気が大量に上昇してきた場合は、汚染空気溜り部の正面の手前側の壁面を、主吸込側と反対側へ傾斜して形成したので、上昇してきた汚染空気を副吸込口や主吸込口１側へ誘導することができ、結果、汚染空気を主吸込口および副吸込口へ追い込まれることになり、汚染空気の漏れを防止でき、捕集効率のよいレンジフードが得られる。
【００３３】
また、オープンタイプのキッチンでフードが側壁に固定される場合などは、送風機の配設空間より後方に延設して後方フード部を形成し、この後方フード部の下面に汚染空気溜り部および副吸込口を形成したので、汚染空気は、局所的に効率良く捕集されるレンジフードを提供できる。
【００３４】
また、浅形レンジフードなどのフード高さが低いレンジフードの場合は、送風機を、第２の吸込口を有した両吸込形送風機としたことにより、調理時に発生する汚染空気の大部分を主吸込口で捕集し、主吸込口で捕集しきれずフードより漏れそうになる汚染空気を汚染空気溜り部に追い込み、副吸込口および主吸込口で捕集することにより汚染空気の漏れを防止でき、捕集効率のよいレンジフードを提供できる。
【００３５】
また、オープンタイプのキッチンでフードが側壁に固定される場合などでも、汚染空気を局所的に効率良く捕集するレンジフードが得られる。
【００３６】
また、オープンタイプのキッチンでフードが側壁に固定される場合などでも、汚染空気を局所的に効率良く捕集するレンジフードが得られる。
【発明を実施するための最良の形態】
【００３７】
本発明の請求項１記載のレンジフードは、下面に主吸込口と天面または側面に排気口を有したフードと、前記フードの内部に設けられ、下面に第１の吸込口を有した送風機と、正面側に副吸込口を有した汚染空気溜り部を備え、前記送風機の吐出口は前記フードの前記排気口に連通し、前記第１の吸込口は前記主吸込口と前記副吸込口とを連通し排気通風路を形成したものであり、レンジより上昇する汚染空気が多量に発生する位置あるいはフードからの汚染空気が漏れ易い位置に汚染空気溜り部、および副吸込口を設けることで、調理時に発生する汚染空気の大部分を主吸込口で捕集し、主吸込口で捕集しきれずフード端部より漏れそうになる汚染空気をフード下面の端部近傍に設けた汚染空気溜り部に一旦追い込み、副吸込口および主吸込口で捕集することにより汚染空気の漏れを防止できるという作用を有する。
【００３８】
また、副吸込口を、正面の奥側に形成したものであり、フード前方で上昇気流が不安定となる場合や多量の汚染空気が発生する場合に主吸込口で捕集しきれずフード前方より漏れそうになる汚染空気を汚染空気溜り部のフード下面の主吸込口側に設けた副吸込部で捕集することにより汚染空気の漏れを防止できるという作用を有する。
【００３９】
また、副吸込口を、正面の手前側に形成したものであり、フード前方で上昇気流が不安定となる場合や多量の汚染空気が発生する場合に主吸込口で捕集しきれずフード前方より漏れそうになる汚染空気を汚染空気溜り部のフード下面の主吸込口側と反対側に設けた副吸込部で捕集することにより汚染空気の漏れを防止できるという作用を有する。
【００４０】
また、副吸込口を、正面の天面側に形成したものであり、フード前方で上昇気流が不安定となる場合や多量の汚染空気が発生する場合に主吸込口で捕集しきれずフード前方より漏れそうになる汚染空気を汚染空気溜り部の天面に設けた副吸込部で捕集することにより汚染空気の漏れを防止できるという作用を有する。
【００４１】
また、汚染空気溜り部の正面の手前側の壁面を、主吸込口側へ傾斜して形成したものであり、フード汚染空気が大量に上昇してきた場合でも、汚染空気を主吸込口および副吸込口へ追い込むことにより、汚染空気の漏れを防止できるという作用を有する。
【００４２】
また、汚染空気溜り部の正面の手前側の壁面を、主吸込側と反対側へ傾斜して形成したものであり、フード端部近傍に汚染空気が大量に上昇してきた場合でも、汚染空気を主吸込口および副吸込口へ追い込むことにより、汚染空気の漏れを防止できるという作用を有する。
【００４３】
また、送風機の配設空間より後方に延設して後方フード部を形成し、この後方フード部の下面に汚染空気溜り部および副吸込口を形成したものであり、オープンタイプのキッチンでフードが側壁に固定される場合などでも、汚染空気を局所的に効率良く捕集できる作用を有する。
【００４４】
また、送風機を、第２の吸込口を有した両吸込形送風機としたものであり、浅形レンジフードなどのフード高さが低いレンジフードの場合でも、調理時に発生する汚染空気の大部分を主吸込口で捕集し、主吸込口で捕集しきれずフードより漏れそうになる汚染空気を汚染空気溜り部に追い込み、副吸込口および主吸込口で捕集することにより汚染空気の漏れを防止できる作用を有する。
【００４５】
また、主吸込口の下方に、整流板を設けたものであり、オープンタイプのキッチンでフードが側壁に固定される場合などでも、汚染空気を局所的に効率良く捕集できる作用を有する。
【００４６】
また、整流板に、開口を設けたものであり、オープンタイプのキッチンでフードが側壁に固定される場合などでも、汚染空気を局所的に効率良く捕集できる作用を有する。
【００４７】
以下、本発明の実施の形態について図面を参照しながら説明する。
【００４８】
（実施の形態１）
図１に示すように、下面に主吸込口１と天面に排気口２を有したフード３と、フード３の内部に設けられ下面に第１の吸込口４を有した送風機５と、前記フードの内部の正面側の奥側に副吸込口８を有した汚染空気溜り部９を備え、送風機５の吐出口６はフード３の排気口２に連通し、第１の吸込口４は主吸込口１と副吸込口８とを連通し排気通風路７を形成し構成している。
【００４９】
上記構成において、レンジ（図示せず）から上昇する汚染空気は、大部分を主吸込口１で吸い込まれ捕集され、送風機５を通って吐出口６に吹き出され、排気口２から吐出される。また、主吸込口１で捕集しきれずフード３の正面側に漏れそうになる汚染空気や主吸込口１の位置より正面側に上昇してくる汚染空気は、汚染空気溜り部９に溜めこまれ、正面側の奥側に設けられた副吸込口８にて吸い込まれ捕集され、送風機５を通って吐出口６に吹き出され、排気口２から吐出されるようになっている。
【００５０】
なお、図２に示すように、副吸込口を、正面の奥側に形成した場合や、図３に示すように、副吸込口を、正面の手前側に形成した場合にも同様の作用効果が得られる。
【００５１】
このように、本実施の形態１によれば、捕集した汚染空気を貯める空間の少ない浅形レンジフードなどのフード３高さが低いレンジフードは、レンジより上昇する汚染空気が多量に発生したり、フード３前方で上昇気流が不安定となった場合は、汚染空気溜り部９と副吸込口８を設けたことで、主吸込口１で捕集しきれずフード３正面側方向に流れる汚染空気や主吸込口１の位置より正面側に上昇してくる汚染空気を、副吸込口８により吸い込み捕集されることになり、結果、局所換気にて確実に汚染空気を捕集し、排気することができることとなる。
【００５２】
なお、図４に示すように、汚染空気溜り部９の正面の手前側の汚染空気溜り部壁面１０を、主吸込口１側へ傾斜して形成した場合は、汚染空気溜り部９に溜った汚染空気をフード３外へ逃げないように防止することが可能であり、また、図５に示すように、汚染空気溜り部壁面１０を主吸込口１側と反対側へ傾斜した場合は、上昇してきた汚染空気を副吸込口８や主吸込口１側へ誘導することができる。
【００５３】
また、図６に示すように、送風機５を、第２の吸込口４Ａを有した両吸込形送風機５Ａを用いると、両吸込形送風機５Ａの第１の吸込口４と第２の吸込口４Ａの２方向から、主吸込口１や副吸込口８から吸い込まれた汚染空気を吸い込むことができるので、フード３の高さ寸法が狭い場合でも、吸い込み面積を確保することができ、効率よく汚染空気を吸い込み、排気することができる。さらに、副吸込口８が汚染空気溜り部９の天面方向に設けられている場合は、第１の吸込口４と比べ第２の吸込口４Ａの方が近くなり、スムーズに両吸込形送風機５Ａに吸い込まれ、排気できるようになる。
【００５４】
（実施の形態２）
図７に示すように、実施の形態１と異なるところは、フード３を送風機５の配設空間より後方に延設した後方フード部１１を形成したフード３Ａにし、主吸込口１より後方となる後方フード部１１の下面に副吸込口８Ａと汚染空気溜り部９Ａを設けた点である。
【００５５】
図７において、図１と同じ構成要素については同じ符号を用いてその説明を省略する。
【００５６】
上記構成において、レンジ（図示せず）から上昇する汚染空気は、後方フード部１１で受け止め、副吸込口８Ａと汚染空気溜り部９Ａで捕集することにより、汚染空気を局所的に効率よく捕集でき、汚染空気の漏れを防止できる。
【００５７】
このように実施の形態２によれば、オープンタイプのキッチンなどでフード３Ａが側壁に固定され，レンジとレンジフードの間の後方に壁がなく、フード３Ａ後方が開放空間となり、フード３Ａ後方で上昇気流が不安定となる場合でも、主吸込口１で捕集しきれずフード３Ａ後方より漏れそうになる汚染空気をフード３Ａ後方に後方フード部１１を設けたので、不安定な上昇気流を受け止め、後方フード部１１の下面に設けた副吸込口８Ａと汚染空気溜り部９Ａで捕集することになり、汚染空気を局所的に効率良く捕集でき、フード３Ａからの汚染空気の漏れを防止できることとなる。
【００５８】
（実施の形態３）
図８に示すように、実施の形態１と異なるところは、下面の主吸込口１の下方に整流板１２を設けた点である。
【００５９】
図８において、図１と同じ構成要素については同じ符号を用いてその説明を省略する。
【００６０】
上記構成において、レンジ（図示せず）から上昇する汚染空気の大部分を整流板１２の周囲の吸込み口において捕集し、整流板１２の周囲の吸込口において捕集しきれずフード３前方より漏れそうになる汚染空気やフード３に到達する前にフード３から逸れようとする汚染空気をフード３下面の主吸込口１より前方に設けた汚染空気溜り部９と副吸込口８にて捕集することにより、フード３からの汚染空気の漏れを防止でき、効率よく捕集できる。
【００６１】
このように、本実施の形態１によれば、整流板１２を設けることにより、主吸込口１から吸い込まれる汚染空気は、フード３と整流板１２と間の周囲の吸込み口において、吸い込む面積が減少することにより吸い込み風速が早くなり、結果、主吸込口から吸い込まれる汚染空気を多くすることができるので、捕集効率を向上させることができる。
【００６２】
なお、整流板１２の寸法を変更することなく、汚染空気溜り部９と副吸込口８により吸込みバランスを調整することが可能であり、汚染空気の捕集効率を改善できる。
【００６３】
また、整流板１２に整流板開口１３を設けることにより、主吸込口１と整流板１２、副吸込口８の吸込みのバランスを調整することが可能であり、汚染空気の捕集効率を改善できる。
【００６４】
また、整流板開口１３を整流板１２の正面側に設けている場合は、汚染空気を汚染空気溜り部９へ流れやすくすることができ、捕集効率を向上させることができる。
【００６５】
また、整流板１２を汚染空気溜り部９へ向かい傾斜させることにより、より汚染空気を汚染空気溜り部９へ流れやすくすることができ、捕集効率を向上させることができる。
【産業上の利用可能性】
【００６６】
局所換気にて汚染空気を捕集して集塵する集塵装置のフード部にも適用できる。
【図面の簡単な説明】
【００６７】
【図１】本発明の実施の形態１のレンジフードを示す側面構成図
【図２】同レンジフードの副吸込口の一例を示す側面構成図
【図３】同レンジフードの副吸込口の一例を示す側面構成図
【図４】同レンジフードの汚染空気溜り部の一例を示す側面構成図
【図５】同レンジフードの汚染空気溜り部の一例を示す側面構成図
【図６】同レンジフードの送風機の一例を示す側面構成図
【図７】本発明の実施の形態２のレンジフードを示す側面構成図
【図８】本発明の実施の形態３のレンジフードを示す側面構成図
【図９】従来のレンジフードを示す側断面図
【符号の説明】
【００６８】
１    主吸込口
２    排気口
３    フード
３Ａ  フード
４    第１の吸込口
４Ａ  第２の吸込口
５    送風機
５Ａ  両吸込形送風機
６    吐出口
７    排気通風路
８    副吸込口
８Ａ  副吸込口
９    汚染空気溜り部
９Ａ  汚染空気溜り部
１０  汚染空気溜り部壁面
１１  後方フード部
１２  整流板
１３  整流板開口
【図１】
2008122007.tif 000003
【図２】
2008122007.tif 000004
【図３】
2008122007.tif 000005
【図４】
2008122007.tif 000006
【図５】
2008122007.tif 000007
【図６】
2008122007.tif 000008
【図７】
2008122007.tif 000009
【図８】
2008122007.tif 000010
【図９】
2008122007.tif 000011